(57)【要約】【課題】同一波長の光束に対応し適切な開口数が互いに異なる複数種類の情報記録媒体から所望の信号を精度良く取得する。【解決手段】光ディスク１５に適切な開口数に応じて対物レンズに入射する光束のビーム径を規定し、かつ対物レンズを介した戻り光束をビーム径を維持して出射する開口切換光学系５７を光源ＬＤと対物レンズ６０の間の光路上に固定的に配置する。これにより、記録面には光ディスクに適切な光スポットが形成されるとともに、必要とされる受光器ＰＤでの受光量を確保することができる。すなわち、光ディスクの種類に関係なく所望の信号を精度良く取得することが可能となる。【選択図】図３
2006277894.tif 000002
【特許請求の範囲】
【請求項１】
同一波長の光束に対応し適切な開口数が互いに異なる複数種類の情報記録媒体に対する情報の記録、再生、及び消去のうち少なくとも再生を行なうために用いられる光ピックアップ装置であって、
光源と；
前記光源から出射された光束を情報記録媒体の記録面に集光する対物レンズと、前記光源と前記対物レンズの間の光路上に固定的に配置され、前記情報記録媒体に適切な開口数に応じて前記対物レンズに入射する光束のビーム径を規定し、かつ前記対物レンズを介した戻り光束を前記ビーム径に維持して出射する開口調整光学系と、を含む光学系と；
前記開口調整光学系を介した戻り光束を所定の受光位置で受光する光検出器と；を備える光ピックアップ装置。
【請求項２】
前記光源から直線偏光が出射され、
前記開口調整光学系は、
前記光源から出射された直線偏光の偏光方向を０度より大きく９０度以下の角度範囲で回転させる可変回転光学素子と、
前記可変回転光学素子の前記光源側とは反対側に配置され、その光軸に直交する分割線の一側にある領域に入射した直線偏光の偏光方向を＋４５度回転させ、前記分割線の他側にある領域に入射した直線偏光の偏光方向を−４５度回転させる第１の回転光学素子と；
前記第１の回転光学素子の前記可変回転光学素子側とは反対側に配置され、入射した光束を透過させる円形の第１領域と、該第１領域の外周に接するドーナツ状の領域のうち光軸に直交する分割線の一側にある第２領域と、前記ドーナツ状の領域のうち前記分割線の他側にある第３領域とからなる３つの領域を有し、入射した直線偏光の偏光方向が＋４５度に回転されているときに前記第２領域で反射、吸収もしくは回折させ、入射した直線偏光の偏光方向が−４５度に回転されているときに前記３領域で反射、吸収もしくは回折させる偏光光学素子と；
前記偏光光学素子の前記第１の回転光学素子側とは反対側に配置され、その光軸に直交する分割線の一側にある領域に入射した直線偏光の偏光方向を−４５度回転させ、前記分割線の他側にある領域に入射した直線偏光の偏光方向を＋４５度回転させる第２の回転光学素子と；を有することを特徴とする請求項１に記載の光ピックアップ装置。
【請求項３】
前記偏光光学素子における前記第２領域は、偏光方向が＋４５度に回転されている直線偏光を消光状態とする偏光子で形成され、前記第３領域は、偏光方向が−４５度に回転されている直線偏光を消光状態とする偏光子で形成されていることを特徴とする請求項２に記載の光ピックアップ装置。
【請求項４】
前記各偏光子は、光軸に直交する方向に対してそれぞれ傾斜していることを特徴とする請求項３に記載の光ピックアップ装置。
【請求項５】
前記偏光光学素子における前記第２領域は、偏光方向が＋４５度に回転されている直線偏光を回折する偏光回折素子で形成され、前記第３領域は、偏光方向が−４５度に回転されている直線偏光を回折する偏光回折素子で形成されていることを特徴とする請求項２に記載の光ピックアップ装置。
【請求項６】
前記複数の情報記録媒体は、第１の情報記録媒体と、入射面から記録面までの距離が前記第１の情報記録媒体よりも長い第２の情報記録媒体とを含み、
前記第２の情報記録媒体に対する前記可変回転光学素子からの直線偏光の偏光方向は、前記第１の情報記録媒体に対する前記可変回転光学素子からの直線偏光の偏光方向を＋９０度回転した方向であることを特徴とする請求項２〜５のいずれか一項に記載の光ピックアップ装置。
【請求項７】
前記開口調整光学系の各分割線は、それぞれトラッキング方向に対応する方向に延びていることを特徴とする請求項２〜６のいずれか一項に記載の光ピックアップ装置。
【請求項８】
前記第１の回転光学素子と、前記偏光光学素子と、前記第２の回転光学素子とは、一体化されていることを特徴とする請求項２〜７のいずれか一項に記載の光ピックアップ装置。
【請求項９】
前記光学系は１／４波長板を更に含み、
前記第１の回転光学素子と、前記偏光光学素子と、前記第２の回転光学素子と、前記１／４波長板とは、一体化されていることを特徴とする請求項２〜７のいずれか一項に記載の光ピックアップ装置。
【請求項１０】
前記第１の回転光学素子と、前記偏光光学素子と、前記第２の回転光学素子と、前記１／４波長板と、前記対物レンズとは、同一の筐体内に収納されていることを特徴とする請求項９に記載の光ピックアップ装置。
【請求項１１】
前記光源と前記開口調整光学系との間に配置され、前記開口調整光学系を介した戻り光束を前記受光位置に分岐する偏光分岐光学素子を更に備えることを特徴とする請求項１〜１０のいずれか一項に記載の光ピックアップ装置。
【請求項１２】
同一波長の光束に対応し適切な開口数が互いに異なる複数種類の情報記録媒体に対して、情報の記録、再生及び消去のうち少なくとも再生が可能な光ディスク装置であって、
請求項１〜１１のいずれか一項に記載の光ピックアップ装置と；
前記光ピックアップ装置を構成する光検出器の出力信号を用いて、情報記録媒体に記録されている情報の再生を行なう処理装置と；を備える光ディスク装置。
【発明の詳細な説明】
【技術分野】
【０００１】
本発明は、光ピックアップ装置及び光ディスク装置に係り、さらに詳しくは、光ディスクに対してデータの記録、再生、及び消去のうち少なくとも再生を行うのに用いられる光ピックアップ装置及び該光ピックアップ装置を備える光ディスク装置に関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための媒体として、ＤＶＤ（digital versatile disc）などの光ディスクが注目されるようになり、その低価格化とともに、光ディスクを情報記録の対象媒体とする光ディスク装置が普及するようになった。
【０００３】
光ディスク装置では、光ディスクのスパイラル状又は同心円状のトラックが形成された記録面にレーザ光の微小スポットを形成することにより情報の記録を行い、記録面からの反射光に基づいて情報の再生などを行っている。この光ディスク装置には、光ディスクの記録面にレーザ光を照射するとともに、記録面からの反射光を受光するために、光ピックアップ装置が設けられている。
【０００４】
ところで、コンテンツの情報量は、年々増加する傾向にあり、光ディスクの記録容量の更なる増加が期待されている。そこで、ＨＤ−ＤＶＤ（High Definition DVD、以下「ＨＤ」と略述する）やＢｌｕ−ｒａｙ（以下「ＢＤ」と略述する）の規格が提唱された。ＨＤはディスクの基板厚が０．６ｍｍであり、ＨＤに対応した光ディスク装置は、波長が４０５ｎｍの光源を用いて、対物レンズによりＮＡ（開口数）が０．６５の集光スポットを形成し、情報の記録、再生及び消去を行う。一方、ＢＤはディスクの基板厚が０．１ｍｍであり、ＢＤに対応した光ディスク装置は、波長が４０５ｎｍの光源を用いて、対物レンズによりＮＡが０．８５の集光スポットを形成し、情報の記録、再生及び消去を行う。すなわち、ＨＤ及びＢＤは、いずれも波長が４０５ｎｍの光に対応しているが、ＮＡは互いに異なっている。従って、ＨＤ及びＢＤのいずれにも対応可能な光ディスク装置では、情報記録媒体の種類に応じてＮＡを変更する必要がある。
【０００５】
一方の光束に対する開口を制限することによりＮＡを変更する装置について種々提案されている（例えば、特許文献１及び特許文献２参照。）。しかしながら、特許文献１に開示されている光ヘッド装置では、光源の波長の違いを利用して開口制限を行っているため、この構成では、同一波長を用いて記録及び再生を行うＢＤとＨＤに対してＮＡを変更させることは困難である。また、特許文献２に開示されている情報記録・再生装置では、往路の開口に対して復路の開口が変化するため、例えば往路で開口制限をしない光束は、復路で開口制限されてしまい、光ピックアップ装置の出力信号のＳ／Ｎ比が著しく低下する。
【０００６】
【特許文献１】特許第０２７１３２５７号公報
【特許文献２】特開平５−１２０７２０号公報
【発明の開示】
【発明が解決しようとする課題】
【０００７】
本発明は、かかる事情の下になされたもので、その第１の目的は、同一波長の光束に対応し適切な開口数が互いに異なる複数種類の情報記録媒体から所望の信号を精度良く取得することができる光ピックアップ装置を提供することにある。
【０００８】
また、本発明の第２の目的は、同一波長の光束に対応し適切な開口数が互いに異なる複数種類の情報記録媒体へのアクセスを精度良く行うことができる光ディスク装置を提供することにある。
【課題を解決するための手段】
【０００９】
請求項１に記載の発明は、同一波長の光束に対応し適切な開口数が互いに異なる複数種類の情報記録媒体に対する情報の記録、再生、及び消去のうち少なくとも再生を行なうために用いられる光ピックアップ装置であって、光源と；前記光源から出射された光束を情報記録媒体の記録面に集光する対物レンズと、前記光源と前記対物レンズの間の光路上に固定的に配置され、前記情報記録媒体に適切な開口数に応じて前記対物レンズに入射する光束のビーム径を規定し、かつ前記対物レンズを介した戻り光束を前記ビーム径に維持して出射する開口調整光学系と、を含む光学系と；前記開口調整光学系を介した戻り光束を所定の受光位置で受光する光検出器と；を備える光ピックアップ装置である。
【００１０】
これによれば、光源から出射された光束は、開口調整光学系により情報記録媒体に適切な開口数に応じてビーム径が規定され、対物レンズにより情報記録媒体の記録面に集光される。対物レンズを介した戻り光束は、ビーム径がそのまま維持されて開口調整光学系を透過し、光検出器で受光される。従って、記録面にはその情報記録媒体に適切な光スポットが形成されるとともに、必要とされる光検出器での受光量を確保することができる。その結果として、同一波長の光束に対応し適切な開口数が互いに異なる複数種類の情報記録媒体から所望の信号を精度良く取得することが可能となる。
【００１１】
この場合において、請求項２に記載の光ピックアップ装置の如く、前記光源から直線偏光が出射される場合に、前記開口調整光学系は、前記光源から出射された直線偏光の偏光方向を０度より大きく９０度以下の角度範囲で回転させる可変回転光学素子と、前記可変回転光学素子の前記光源側とは反対側に配置され、その光軸に直交する分割線の一側にある領域に入射した直線偏光の偏光方向を＋４５度回転させ、前記分割線の他側にある領域に入射した直線偏光の偏光方向を−４５度回転させる第１の回転光学素子と；前記第１の回転光学素子の前記可変回転光学素子側とは反対側に配置され、入射した光束を透過させる円形の第１領域と、該第１領域の外周に接するドーナツ状の領域のうち光軸に直交する分割線の一側にある第２領域と、前記ドーナツ状の領域のうち前記分割線の他側にある第３領域とからなる３つの領域を有し、入射した直線偏光の偏光方向が＋４５度に回転されているときに前記第２領域で反射、吸収もしくは回折させ、入射した直線偏光の偏光方向が−４５度に回転されているときに前記３領域で反射、吸収もしくは回折させる偏光光学素子と；前記偏光光学素子の前記第１の回転光学素子側とは反対側に配置され、その光軸に直交する分割線の一側にある領域に入射した直線偏光の偏光方向を−４５度回転させ、前記分割線の他側にある領域に入射した直線偏光の偏光方向を＋４５度回転させる第２の回転光学素子と；を有することとすることができる。
【００１２】
この場合において、請求項３に記載の光ピックアップ装置の如く、前記偏光光学素子における前記第２領域は、偏光方向が＋４５度に回転されている直線偏光を消光状態とする偏光子で形成され、前記第３領域は、偏光方向が−４５度に回転されている直線偏光を消光状態とする偏光子で形成されていることとすることができる。
【００１３】
この場合において、請求項４に記載の光ピックアップ装置の如く、前記各偏光子は、光軸に直交する方向に対してそれぞれ傾斜していることとすることができる。
【００１４】
上記請求項２に記載の光ピックアップ装置において、請求項５に記載の光ピックアップ装置の如く、前記偏光光学素子における前記第２領域は、偏光方向が＋４５度に回転されている直線偏光を回折する偏光回折素子で形成され、前記第３領域は、偏光方向が−４５度に回転されている直線偏光を回折する偏光回折素子で形成されていることとすることができる。
【００１５】
上記請求項２〜５に記載の各光ピックアップ装置において、請求項６に記載の光ピックアップ装置の如く、前記複数の情報記録媒体は、第１の情報記録媒体と、入射面から記録面までの距離が前記第１の情報記録媒体よりも長い第２の情報記録媒体とを含み、前記第２の情報記録媒体に対する前記可変回転光学素子からの直線偏光の偏光方向は、前記第１の情報記録媒体に対する前記可変回転光学素子からの直線偏光の偏光方向を＋９０度回転した方向であることとすることができる。
【００１６】
上記請求項２〜６に記載の各光ピックアップ装置において、請求項７に記載の光ピックアップ装置の如く、前記開口調整光学系の各分割線は、それぞれトラッキング方向に対応する方向に延びていることとすることができる。
【００１７】
上記請求項２〜７に記載の各光ピックアップ装置において、請求項８に記載の光ピックアップ装置の如く、前記第１の回転光学素子と、前記偏光光学素子と、前記第２の回転光学素子とは、一体化されていることとすることができる。
【００１８】
上記請求項２〜７に記載の各光ピックアップ装置において、請求項９に記載の光ピックアップ装置の如く、前記光学系は１／４波長板を更に含み、前記第１の回転光学素子と、前記偏光光学素子と、前記第２の回転光学素子と、前記１／４波長板とは、一体化されていることとすることができる。
【００１９】
この場合において、請求項１０に記載の光ピックアップ装置の如く、前記第１の回転光学素子と、前記偏光光学素子と、前記第２の回転光学素子と、前記１／４波長板と、前記対物レンズとは、同一の筐体内に収納されていることとすることができる。
【００２０】
上記請求項１〜１０に記載の各光ピックアップ装置において、請求項１１に記載の光ピックアップ装置の如く、前記光源と前記開口調整光学系との間に配置され、前記開口調整光学系を介した戻り光束を前記受光位置に分岐する偏光分岐光学素子を更に備えることとすることができる。
【００２１】
請求項１２に記載の発明は、同一波長の光束に対応し適切な開口数が互いに異なる複数種類の情報記録媒体に対して、情報の記録、再生及び消去のうち少なくとも再生が可能な光ディスク装置であって、請求項１〜１１のいずれか一項に記載の光ピックアップ装置と；前記光ピックアップ装置を構成する光検出器の出力信号を用いて、情報記録媒体に記録されている情報の再生を行なう処理装置と；を備える光ディスク装置である。
【００２２】
これによれば、同一波長の光束に対応し適切な開口数が互いに異なる複数種類の情報記録媒体から所望の信号を精度良く取得することができる請求項１〜１１のいずれか一項に記載の光ピックアップ装置を備えているため、同一波長の光束に対応し適切な開口数が互いに異なる複数種類の情報記録媒体へのアクセスを精度良く行うことが可能となる。
【発明を実施するための最良の形態】
【００２３】
以下、本発明の一実施形態を図１〜図１０に基づいて説明する。図１には、本発明の一実施形態に係る光ディスク装置２０の概略構成が示されている。
【００２４】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、モータ制御回路２６、ＰＵ駆動制御回路２７、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、光ディスク装置２０は、一例として前記ＨＤ及び前記ＢＤの規格に準拠した情報記録媒体に対応可能であるものとする。そこで、ＨＤ及びＢＤの規格に準拠した情報記録媒体が光ディスク１５に用いられる。
【００２５】
前述したように、ディスクの入射面から記録面までの距離、いわゆる基板厚は、ＨＤでは０．６ｍｍであり（図２（Ａ）参照）、ＢＤでは０．１ｍｍである（図２（Ｂ）参照）。また、適切なＮＡ（開口数）は、ＨＤでは０．６５であり、ＢＤでは０．８５である。
【００２６】
前記光ピックアップ装置２３は、光ディスク１５の記録面にレーザ光を照射するとともに、その記録面からの反射光を受光するための装置である。この光ピックアップ装置２３は、一例として図３に示されるように、光源ＬＤ、カップリングレンズ５２、偏光分岐光学素子としての偏光ビームスプリッタ５４、１／４波長板５５、ビームエキスパンダ５６、開口切換光学系５７、検出レンズ５８、対物レンズ６０、光検出器としての受光器ＰＤ、及び駆動系（フォーカシングアクチュエータ６１及びトラッキングアクチュエータ（図示省略））などを備えている。
【００２７】
前記光源ＬＤは、波長が約４０５ｎｍのレーザ光を出射する半導体レーザである。なお、光源ＬＤから出射される光束の最大強度出射方向を＋Ｚ方向とする。また、一例として光源ＬＤからは直線偏光（ここではＰ偏光）の光束が出射されるものとする。さらに、本実施形態では、便宜上、直線偏光の偏光方向（偏光方位）の角度は、Ｐ偏光の偏光方向を基準とする。従って、偏光方向が＋９０度の直線偏光はＳ偏光を意味している。
【００２８】
この光源ＬＤの＋Ｚ側に前記カップリングレンズ５２が配置され、光源ＬＤから出射された光束を略平行光とする。
【００２９】
前記偏光ビームスプリッタ５４は、カップリングレンズ５２の＋Ｚ側に配置され、光ディスク１５で反射した光束（戻り光束）を＋Ｙ方向に分岐する。この偏光ビームスプリッタ５４は、入射光束の偏光状態に応じてその反射率が異なっている。ここでは一例として、偏光ビームスプリッタ５４は、Ｐ偏光に対する反射率が小さく、Ｓ偏光に対する反射率が大きくなるように設定されている。すなわち、光源ＬＤから出射された光束の大部分は、偏光ビームスプリッタ５４を透過することができる。
【００３０】
前記開口切換光学系５７は、光ディスク１５に適切な開口数に応じて対物レンズ６０に入射する光束のビーム径を変更し、かつ対物レンズ６０を介した戻り光束を往路のビーム径に維持して出射する。ここでは、開口切換光学系５７は、可変旋光子５７ａ、２つの旋光子（第１旋光子５７ｂ、第２旋光子５７ｄ）、及び偏光開口制限素子５７ｃなどを備えている。
【００３１】
可変旋光子５７ａは、光源ＬＤから出射された直線偏光の偏光方向を０度より大きく９０度以下の角度範囲で回転させる。この可変旋光子５７ａとして、本実施形態では、一例として図４（Ａ）及び図４（Ｂ）に示されるように、正の誘電異方性を有するツイストネマティック液晶が２枚のガラス基板の間に密封された、いわゆる液晶素子が用いられている。各ガラス基板にはインジウム錫酸化物（ＩＴＯ）からなる透明電極及びポリイミドからなる配向膜がそれぞれ形成され、配向膜はラビングによる配向処理が施されている。ここでは、液晶層の厚さは約５ｍｍである。また、液晶分子の長軸の配向方向すなわちラビングの方向は入射側のガラス基板と出射側のガラス基板とで９０°クロスしており、液晶層は連続的に９０度ねじれて配向している。そして、可変旋光子５７ａには透明電極を介して交流電圧が印加される。
【００３２】
この可変旋光子５７ａは、偏光ビームスプリッタ５４の＋Ｚ側であって、光源ＬＤからの直線偏光（ここではＰ偏光）をその偏向面と隣接するガラス基板面での液晶分子の配向方向を直交させるように配置されている。そこで、しきい値より十分低い交流電圧が印加されている状態（以下「オフ状態」ともいう）では、可変旋光子５７ａは入射光束の偏光方向を９０°回転させて出射する（図４（Ａ）参照）。一方、しきい値より十分高い交流電圧が印加されている状態（以下「オン状態」ともいう）では、液晶分子のねじれ配向が解消されるため、可変旋光子５７ａは入射光束の偏光方向を変更せずにそのまま出射する（図４（Ｂ）参照）。
【００３３】
可変旋光子５７ａは、対物レンズ６０の軸ずれ、及び傾きなどに追従させる必要がないので、光ピックアップ装置２３内の固定部に取り付けられる。なお、可変旋光子５７ａは、単純に１／２波長板を光束の進行方向に対して垂直な面内で回転させる構造にしても良い。
【００３４】
前記ビームエキスパンダ５６は、可変旋光子５７ａの＋Ｚ側に配置され、負レンズとしての凹レンズ５６ａと、正レンズとしての凸レンズ５６ｂと、前記凹レンズ５６ａ及び凸レンズ５６ｂの少なくとも一方を駆動し両レンズの間隔（以下「レンズ間隔」ともいう）を変更するレンズ駆動装置５６ｃとを含んでいる。レンズ間隔が変化すると、ビームエキスパンダ５６から出射される光束の発散角が変化し、波面収差の大きさが変化する。レンズ間隔は、ＣＰＵ４０からのレンズ間隔制御信号によって制御される。
【００３５】
このビームエキスパンダ５６の＋Ｚ側には前記第１旋光子５７ｂが配置されている。この第１旋光子５７ｂは、一例として図５に示されるように、Ｘ軸方向に延びる分割線ｂ３によって２つの領域（ｂ１、ｂ２）に分割されている。ここでは、分割線ｂ３の−Ｙ側を領域ｂ１、分割線ｂ３の＋Ｙ側を領域ｂ２とする。領域ｂ１は入射光束を＋４５度旋回させ、領域ｂ２は入射光束を−４５度旋回させる。なお、対物レンズ６０がトラッキング方向にシフトすると、第１旋光子５７ｂに入射する戻り光束は、トラッキング方向に対応する方向（ここではＸ軸方向）にシフトする。すなわち、分割線ｂ３はトラッキング方向に対応する方向に延びている。
【００３６】
このように、偏光方向を＋４５度、もしくは−４５度旋光させる旋光子は、例えば、１／２波長板を入射する直線偏光に対して主軸（進相軸、もしくは遅相軸）を２２．５度（もしくは−２２．５度）回転させることで実現できる。なお、１／２波長板については、屈折率に異方性を持つフィルムや、入射光束の波長よりも短い線形格子からなるサブ波長格子、及びフォトニック結晶により作成することができる。また、ツイストネマティック型の液晶素子を用いても実現することができる。
【００３７】
第１旋光子５７ｂの＋Ｚ側には前記偏光開口制限素子５７ｃが配置されている。この偏光開口制限素子５７ｃは、一例として図６に示されるように、中央に円形状の完全透過領域ｃ１（第１領域）があり、完全透過領域ｃ１の外周に隣接してドーナツ状の偏光領域がある。この偏光領域は、Ｘ軸方向に延びる分割線ｃ４によって２つの領域（ｃ２、ｃ３）に分割されている。ここでは、分割線ｃ４の−Ｙ側を領域ｃ２（第２領域）、分割線ｃ４の＋Ｙ側を領域ｃ３（第３領域）とする。領域ｃ２は偏光方向が＋４５度の直線偏光を消光状態とする偏光子で形成され、領域ｃ３は偏光方向が−４５度の直線偏光を消光状態とする偏光子で形成されている。なお、対物レンズ６０がトラッキング方向にシフトすると、偏光開口制限素子５７ｃに入射する戻り光束は、トラッキング方向に対応する方向（ここではＸ軸方向）にシフトする。すなわち、分割線ｃ４はトラッキング方向に対応する方向に延びている。
【００３８】
上記偏光子は、ポリビニールアルコール（ＰＶＡ）フィルムをヨウ素や染料等で染色した後、一軸方向に延伸することにより作成することができる。また、上記偏光子を入射光束の波長よりも短いピッチの線形格子からなるサブ波長格子、及びフォトニック結晶により作成してもよい。なお、本実施形態では、便宜上、前記偏光領域を透過させる場合を「開口制限なし」、透過させない場合を「開口制限有り」ということとする。
【００３９】
偏光開口制限素子５７ｃの＋Ｚ側には前記第２旋光子５７ｄが配置されている。この第２旋光子５７ｄは、一例として図７に示されるように、Ｘ軸方向に延びる分割線ｄ３によって２つの領域（ｄ１、ｄ２）に分割されている。ここでは、分割線ｄ３の−Ｙ側を領域ｄ１、分割線ｄ３の＋Ｙ側を領域ｄ２とする。領域ｄ１は入射光束を−４５度旋回させ、領域ｄ２は入射光束を＋４５度旋回させる。なお、対物レンズ６０がトラッキング方向にシフトすると、第２旋光子５７ｄに入射する戻り光束は、トラッキング方向に対応する方向（ここではＸ軸方向）にシフトする。すなわち、分割線ｄ３はトラッキング方向に対応する方向に延びている。
【００４０】
第２旋光子５７ｄの＋Ｚ側には前記１／４波長板５５が配置されている。この１／４波長板５５は、入射光束に１／４波長の光学的位相差を付与する。１／４波長板５５の＋Ｚ側には、前記対物レンズ６０が配置され、１／４波長板５５を透過した光束を記録面に集光する。
【００４１】
前記偏光ビームスプリッタ５４の＋Ｙ側には、前記検出レンズ５８が配置され、偏光ビームスプリッタ５４で＋Ｙ方向に分岐された戻り光束を前記受光器ＰＤの受光面に集光する。この受光器ＰＤは、再生信号処理回路２８にてＲＦ信号、ウォブル信号及びサーボ信号などを検出するのに用いられる信号（光電変換信号）を生成するための複数の受光素子（又は受光領域）を含んで構成されている。
【００４２】
前記フォーカシングアクチュエータ６１は、対物レンズ６０の光軸方向であるフォーカス方向に対物レンズ６０を微少駆動するためのアクチュエータである。ここでは、便宜上、光ディスク１５がＨＤのときのフォーカス方向に関する対物レンズ６０の最適位置を「第１レンズ位置」といい、光ディスク１５がＢＤのときのフォーカス方向に関する対物レンズ６０の最適位置を「第２レンズ位置」ということとする。なお、対物レンズ６０が第２レンズ位置にあるときには、第１レンズ位置にあるときよりも、対物レンズ６０と光ディスク１５との間隔は長くなる（図８（Ａ）及び図８（Ｂ）参照）。
【００４３】
前記トラッキングアクチュエータ（図示省略）は、トラッキング方向に対物レンズ６０を微少駆動するためのアクチュエータである。
【００４４】
上記のように構成される光ピックアップ装置２３の作用を図９及び図１０を用いて説明する。ここでは、便宜上、光軸方向に関して、偏光ビームスプリッタ５４と可変旋光子５７ａとの間の光路を区間Ａ、可変旋光子５７ａと第１旋光子５７ｂとの間の光路を区間Ｂ、第１旋光子５７ｂと偏光開口制限素子５７ｃとの間の光路を区間Ｃ、偏光開口制限素子５７ｃと第２旋光子５７ｄとの間の光路を区間Ｄ、第２旋光子５７ｄと１／４波長板５５との間の光路を区間Ｅ、１／４波長板５５と対物レンズ６０との間の光路を区間Ｆとする。さらに、光軸の−Ｙ側を領域Ｉ、＋Ｙ側を領域IIともいう。なお、図１０における数値は、直線偏光の偏光方向の角度（以下では、便宜上「直線偏光の角度」と略述する）を示している。また、「Ｒ」は右回りの円偏光、「Ｌ」は左回りの円偏光を示している。
【００４５】
《光ディスク１５がＨＤの場合》
この場合には、適切なＮＡが０．６５であるので、開口制限を行う。ここでは、すでにＣＰＵ４０によって、可変旋光子５７ａはオン状態とされ、ビームエキスパンダ５６のレンズ間隔は光ディスク１５の記録面（ここではＨＤ）での波面収差が最小となるように制御されているものとする。また、対物レンズ６０はフォーカシングアクチュエータ６１により前記第１レンズ位置に位置決めされているものとする。
【００４６】
光源ＬＤから出射された直線偏光（ここではＰ偏光）の光束は、カップリングレンズ５２で略平行光となり、偏光ビームスプリッタ５４に入射する。この光束の大部分は偏光ビームスプリッタ５４をそのまま透過し、可変旋光子５７ａに入射する。ここでは、可変旋光子５７ａがオン状態であるため、可変旋光子５７ａに入射した光束は、そのまま透過する。すなわち、往路の区間Ｂでは、領域Ｉ及び領域IIのいずれにおいても直線偏光の角度は０度である。
【００４７】
可変旋光子５７ａを透過した光束はビームエキスパンダ５６を介して第１旋光子５７ｂに入射する。第１旋光子５７ｂでは、領域ｂ１に入射した光束は＋４５度旋回し、領域ｂ２に入射した光束は−４５度旋回する。これにより、往路の区間Ｃの領域Ｉでは、直線偏光の角度が＋４５度となり、領域IIでは、直線偏光の角度が−４５度となる。
【００４８】
第１旋光子５７ｂからの光束は偏光開口制限素子５７ｃに入射する。偏光開口制限素子５７ｃでは、領域ｃ２に入射した光束は消光状態とされ、領域ｃ３に入射した光束は消光状態とされる。従って、領域ｃ１に入射した光束のみが偏光開口制限素子５７ｃを透過する。すなわち、ここで、開口制限される。なお、往路の区間Ｄの領域Ｉでは、直線偏光の角度は＋４５度のままであり、領域IIでは、直線偏光の角度は−４５度のままである。
【００４９】
偏光開口制限素子５７ｃからの光束は第２旋光子５７ｄに入射する。第２旋光子５７ｄでは、領域ｄ１に入射した光束は−４５度旋回し、領域ｄ２に入射した光束は＋４５度旋回する。これにより、往路の区間Ｅでは、領域Ｉ及び領域IIともに、直線偏光の角度が０度となる。
【００５０】
第２旋光子５７ｄからの光束は１／４波長板５５で１／４波長の光学的位相差が付与される。これにより、往路の区間Ｆでは領域Ｉ及び領域IIともに、右回りの円偏光となる。
【００５１】
１／４波長板５５からの光束は対物レンズ６０を介して光ディスク１５の記録面に微小スポットとして集光される。ここでは、ＮＡが約０．６５に相当する光束が集光される。
【００５２】
光ディスク１５からの反射光は、往路とは反対回り（ここでは左回り）の円偏光となり、戻り光束として対物レンズ６０で再び略平行光とされ、１／４波長板５５で往路と直交した直線偏光（ここではＳ偏光）とされる。すなわち、復路の区間Ｅでは、領域Ｉ及び領域IIともに、直線偏光の角度は＋９０度となる。
【００５３】
１／４波長板５５からの戻り光束は第２旋光子５７ｄに入射する。第２旋光子５７ｄでは、領域ｄ１に入射した光束は−４５度旋回し、領域ｄ２に入射した光束は＋４５度旋回する。これにより、復路の区間Ｄの領域Ｉでは、直線偏光の角度が＋４５度となり、領域IIでは、直線偏光の角度が＋１３５度となる。なお、直線偏光の角度が＋１３５度の状態は、直線偏光の角度が−４５度の状態と等価である。
【００５４】
第２旋光子５７ｄからの戻り光束は偏光開口制限素子５７ｃに入射する。偏光開口制限素子５７ｃでは、領域ｃ２に入射した光束は消光状態とされ、領域ｃ３に入射した光束は消光状態とされる。従って、領域ｃ１に入射した光束のみが偏光開口制限素子５７ｃを透過する。すなわち、ここで、開口制限される。なお、復路の区間Ｃの領域Ｉでは、直線偏光の角度は＋４５度のままであり、領域IIでは、直線偏光の角度は＋１３５度のままである。
【００５５】
偏光開口制限素子５７ｃからの戻り光束は第１旋光子５７ｂに入射する。第１旋光子５７ｂでは、領域ｂ１に入射した光束は＋４５度旋回し、領域ｂ２に入射した光束は−４５度旋回する。これにより、復路の区間Ｂでは領域Ｉ及び領域IIともに、直線偏光の角度が＋９０度となる。
【００５６】
第１旋光子５７ｂからの戻り光束はビームエキスパンダ５６を介して可変旋光子５７ａに入射する。この戻り光束は可変旋光子５７ａをそのまま透過し、偏光ビームスプリッタ５４に入射する。偏光ビームスプリッタ５４で＋Ｙ方向に反射された戻り光束は、検出レンズ５８を介して受光器ＰＤで受光される。受光器ＰＤでは受光素子（又は受光領域）毎に光電変換され、各光電変換信号はそれぞれ再生信号処理回路２８に出力される。
【００５７】
《光ディスク１５がＢＤの場合》
この場合は、適切なＮＡが０．８５であるので、開口制限は行わない。ここでは、すでにＣＰＵ４０によって、可変旋光子５７ａはオフ状態とされ、ビームエキスパンダ５６のレンズ間隔は光ディスク１５（ここではＢＤ）の記録面での波面収差が最小となるように制御されているものとする。また、対物レンズ６０はフォーカシングアクチュエータ６１により前記第２レンズ位置に位置決めされているものとする。
【００５８】
光源ＬＤから出射された直線偏光（ここではＰ偏光）の光束は、カップリングレンズ５２で略平行光となり、偏光ビームスプリッタ５４に入射する。この光束の大部分は偏光ビームスプリッタ５４をそのまま透過し、可変旋光子５７ａに入射する。ここでは、可変旋光子５７ａがオフ状態であるため、可変旋光子５７ａに入射した光束は、偏光方向が９０°回転して出射される。すなわち、往路の区間Ｂでは、領域Ｉ及び領域IIのいずれにおいても直線偏光の角度は＋９０度である。
【００５９】
可変旋光子５７ａを透過した光束はビームエキスパンダ５６を介して第１旋光子５７ｂに入射する。第１旋光子５７ｂでは、領域ｂ１に入射した光束は＋４５度旋回し、領域ｂ２に入射した光束は−４５度旋回する。これにより、往路の区間Ｃの領域Ｉでは、直線偏光の角度が＋１３５度となり、領域IIでは、直線偏光の角度が＋４５度となる。
【００６０】
第１旋光子５７ｂからの光束は偏光開口制限素子５７ｃに入射する。偏光開口制限素子５７ｃでは、領域ｃ２に入射した光束は透過し、領域ｃ３に入射した光束は透過する。従って、領域ｃ１、領域ｃ２及び領域ｃ３に入射した光束は、偏光開口制限素子５７ｃを透過する。すなわち、開口制限されない。なお、往路の区間Ｄの領域Ｉでは、直線偏光の角度は＋１３５度のままであり、領域IIでは、直線偏光の角度は＋４５度のままである。
【００６１】
偏光開口制限素子５７ｃからの光束は第２旋光子５７ｄに入射する。第２旋光子５７ｄでは、領域ｄ１に入射した光束は−４５度旋回し、領域ｄ２に入射した光束は＋４５度旋回する。これにより、往路の区間Ｅでは、領域Ｉ及び領域IIともに、直線偏光の角度が＋９０度となる。
【００６２】
第２旋光子５７ｄからの光束は１／４波長板５５で１／４波長の光学的位相差が付与される。これにより、往路の区間Ｆでは領域Ｉ及び領域IIともに、左回りの円偏光となる。
【００６３】
１／４波長板５５からの光束は対物レンズ６０を介して光ディスク１５の記録面に微小スポットとして集光される。ここでは、ＮＡが約０．８５に相当する光束が集光される。
【００６４】
光ディスク１５からの反射光は、往路とは反対回り（ここでは右回り）の円偏光となり、戻り光束として対物レンズ６０で再び略平行光とされ、１／４波長板５５で往路と直交した直線偏光（ここではＰ偏光）とされる。すなわち、復路の区間Ｅでは、領域Ｉ及び領域IIともに、直線偏光の角度は０度となる。
【００６５】
１／４波長板５５からの戻り光束は第２旋光子５７ｄに入射する。第２旋光子５７ｄでは、領域ｄ１に入射した光束は−４５度旋回し、領域ｄ２に入射した光束は＋４５度旋回する。これにより、復路の区間Ｄの領域Ｉでは、直線偏光の角度が−４５度となり、領域IIでは、直線偏光の角度が＋４５度となる。
【００６６】
第２旋光子５７ｄからの戻り光束は偏光開口制限素子５７ｃに入射する。偏光開口制限素子５７ｃでは、領域ｃ２に入射した光束は透過され、領域ｃ３に入射した光束は透過される。従って、領域ｃ１、領域ｃ２及び領域ｃ３に入射した光束は偏光開口制限素子５７ｃを透過する。すなわち、開口制限されない。なお、復路の区間Ｃの領域Ｉでは、直線偏光の角度は−４５度のままであり、領域IIでは、直線偏光の角度は＋４５度のままである。
【００６７】
偏光開口制限素子５７ｃからの戻り光束は第１旋光子５７ｂに入射する。第１旋光子５７ｂでは、領域ｂ１に入射した光束は＋４５度旋回し、領域ｂ２に入射した光束は−４５度旋回する。これにより、復路の区間Ｂでは領域Ｉ及び領域IIともに、直線偏光の角度が０度となる。
【００６８】
第１旋光子５７ｂからの戻り光束はビームエキスパンダ５６を介して可変旋光子５７ａに入射する。この戻り光束は可変旋光子５７ａで偏光方向が９０°回転して出射される。すなわち、復路の区間Ａでは、領域Ｉ及び領域IIのいずれにおいても直線偏光の角度は＋９０度である。
【００６９】
可変旋光子５７ａからの戻り光束は、偏光ビームスプリッタ５４に入射する。偏光ビームスプリッタ５４で＋Ｙ方向に反射された戻り光束は、検出レンズ５８を介して受光器ＰＤで受光される。受光器ＰＤでは受光素子（又は受光領域）毎に光電変換され、各光電変換信号はそれぞれ再生信号処理回路２８に出力される。
【００７０】
以上のように、開口制限の有無にかかわらず、往路で偏光ビームスプリッタ５４に入射する光束の偏光方向と復路で偏光ビームスプリッタ５４に入射する光束の偏光方向とは互いに９０度異なっている。また、往路で開口制限しない場合には、復路でも開口制限されない。従って、光ディスク１５がＨＤおよびＢＤのいずれであっても光利用効率は低下しない。
【００７１】
また、往路において、対物レンズ６０に入射する光束（区間Ｆの光束）は、開口制限の有無にかかわらず、領域Ｉでの偏光状態及び領域IIでの偏光状態が互いに等しいので、集光特性の良い良好な光スポットを記録面に形成することができる。
【００７２】
図１に戻り、前記再生信号処理回路２８は、Ｉ／Ｖアンプ２８ａ、サーボ信号検出回路２８ｂ、ウォブル信号検出回路２８ｃ、ＲＦ信号検出回路２８ｄ、及びデコーダ２８ｅなどから構成されている。
【００７３】
前記Ｉ／Ｖアンプ２８ａは、受光器ＰＤの各出力信号をそれぞれ電圧信号に変換するとともに、所定のゲインで増幅する。
【００７４】
前記サーボ信号検出回路２８ｂは、Ｉ／Ｖアンプ２８ａの出力信号に基づいてフォーカスエラー信号及びトラックエラー信号などのサーボ信号を検出する。ここで検出されたサーボ信号は前記ＰＵ駆動制御回路２７に出力される。
【００７５】
前記ウォブル信号検出回路２８ｃは、Ｉ／Ｖアンプ２８ａの出力信号に基づいてウォブル信号を検出する。ここで検出されたウォブル信号はデコーダ２８ｅに出力される。
【００７６】
前記ＲＦ信号検出回路２８ｄは、Ｉ／Ｖアンプ２８ａの出力信号に基づいてＲＦ信号を検出する。ここで検出されたＲＦ信号は、デコーダ２８ｅに出力される。
【００７７】
前記デコーダ２８ｅは前記ウォブル信号からアドレス情報、同期信号、光ディスクのベンダー情報、ストラテジ情報などを抽出する。ここで抽出されたアドレス情報、ベンダー情報及びストラテジ情報はＣＰＵ４０に出力され、同期信号はエンコーダ２５及びモータ制御回路２６などに出力される。また、デコーダ２８ｅは前記ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００７８】
前記ＰＵ駆動制御回路２７は、可変旋光子制御回路２７ａ、収差補正回路２７ｂ、及びＡＣＴ制御回路２７ｃなどを有している。
【００７９】
可変旋光子制御回路２７ａは、ＣＰＵ４０の指示に応じて、前記可変旋光子５７ａをオフ状態又はオン状態とする。本実施形態では、光ディスク１５がＨＤのときにオン状態とされ、ＢＤのときにオフ状態とされる。
【００８０】
収差補正回路２７ｂは、ＣＰＵ４０からのレンズ間隔制御信号に応じて、前記ビームエキスパンダ５６を構成するレンズ駆動装置５６ｃの駆動信号を生成し、光ピックアップ装置２３に出力する。なお、ＣＰＵ４０は、光ディスク１５の種類に応じて予め設定されているレンズ間隔制御信号を出力する。
【００８１】
ＡＣＴ制御回路２７ｃは、前記フォーカスエラー信号に基づいてフォーカスずれを補正するための前記フォーカシングアクチュエータ６１の駆動信号生成し、光ピックアップ装置２３に出力する。また、ＡＣＴ制御回路２７ｃは、前記トラックエラー信号に基づいてトラックずれを補正するための前記トラッキングアクチュエータ（不図示）の駆動信号を生成し、光ピックアップ装置２３に出力する。
【００８２】
前記モータ制御回路２６は、ＣＰＵ４０の指示に基づいて、スピンドルモータ２２及びシークモータ２１をそれぞれ駆動制御する。
【００８３】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００８４】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加等を行ない、光ディスク１５への書き込み信号を生成する。ここで生成された書き込み信号はレーザ制御回路２４に出力される。
【００８５】
前記レーザ制御回路２４は、光源ＬＤから出射されるレーザ光のパワーを制御する。例えば記録の際には、前記書き込み信号、記録条件、及び光源ＬＤの発光特性などに基づいて光源ＬＤの駆動信号がレーザ制御回路２４にて生成される。
【００８６】
前記インターフェース３８は、上位装置（例えば、パソコン）９０との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００８７】
前記フラッシュメモリ３９には、ＣＰＵ４０にて解読可能なコードで記述された各種プログラム、光ディスクの種類毎のレンズ間隔制御信号、記録条件及び光源ＬＤの発光特性などが格納されている。
【００８８】
前記ＣＰＵ４０は、フラッシュメモリ３９に格納されているプログラムに従って上記各部の動作を制御するとともに、制御に必要なデータなどをＲＡＭ４１に保存する。
【００８９】
なお、光ディスク１５がＨＤであるかＢＤであるかは、光ディスク１５が光ディスク装置２０にセットされたときに、光ディスクの所定位置に記録されているディスク情報に基づいて判断される。そして、その判断結果は、再生信号処理回路２８及びＰＵ駆動制御回路２７などに通知される。また、ＣＰＵ４０は、光ディスク１５の種類に応じて、可変旋光子５７ａ及びビームエキスパンダ５６のレンズ間隔を適切な状態に設定する。
【００９０】
《再生処理》
ＣＰＵ４０は、上位装置９０から再生要求コマンドを受信すると、所定の線速度（又は角速度）で光ディスク１５が回転するようにモータ制御回路２６に指示するとともに、上位装置９０から再生要求コマンドを受信した旨を再生信号処理回路２８に通知する。
【００９１】
そして、ＣＰＵ４０は、光ディスク１５が所定の線速度（又は角速度）で回転していることを確認すると、指定アドレスに対応する目標位置近傍に光スポットが形成されるように、モータ制御回路２６に指示する。これにより、シーク動作が行なわれる。
【００９２】
シーク動作が完了すると、ＣＰＵ４０は、再生を許可する。これにより、再生信号処理回路２８にて再生処理が行われる。
【００９３】
ＣＰＵ４０は、指定されたデータの再生が完了すると再生要求コマンドに対する処理を終了する。
【００９４】
以上の説明から明らかなように、本実施形態に係る光ピックアップ装置２３では、開口切換光学系５７によって開口調整光学系が構成されている。そして、可変旋光子５７ａによって可変回転光学素子が、第１旋光子５７ｂによって第１の回転光学素子が、偏光開口制限素子５７ｃによって偏光光学素子が、第２旋光子５７ｄによって第２の回転光学素子が構成されている。
【００９５】
また、本実施形態に係る光ディスク装置２０では、再生信号処理回路２８と、ＣＰＵ４０及び該ＣＰＵ４０によって実行されるプログラムとによって、処理装置が構成されている。なお、ＣＰＵ４０によるプログラムに従う処理の少なくとも一部をハードウェアによって構成することとしても良いし、あるいは全てをハードウェアによって構成することとしても良い。
【００９６】
以上説明したように、本実施形態に係る光ピックアップ装置２３によると、光源ＬＤから出射された直線偏光は、開口切換光学系５７により光ディスク１５に適切な開口数に応じて対物レンズ６０に入射する光束のビーム径が規定され、対物レンズ６０により光ディスク１５の記録面に集光される。対物レンズ６０を介した戻り光束は、ビーム径を維持して開口切換光学系５７を透過し、受光器ＰＤで受光される。従って、記録面には光ディスク１５に適切な光スポットが形成されるとともに、必要とされる受光器ＰＤでの受光量を確保することができる。その結果として、同一波長の光束に対応し適切な開口数が互いに異なる複数種類の情報記録媒体から所望の信号を精度良く取得することが可能となる。
【００９７】
また、本実施形態によると、第１旋光子５７ｂ、偏光開口制限素子５７ｃ及び第２旋光子５７ｄにおける各分割線がトラッキング方向に対応する方向と一致しているため、対物レンズ６０がトラッキング方向にシフトしたときに、受光器ＰＤの受光量が減少するのを抑制できる。
【００９８】
また、本実施形態に係る光ディスク装置２０によると、光ディスク１５がＨＤ及びＢＤのいずれであってもＳ／Ｎ比の高い信号が光ピックアップ装置２３から出力されるため、ＨＤ及びＢＤのいずれに対してもアクセスを精度良く行うことができる。従って、同一波長の光束に対応し適切なＮＡが互いに異なる複数種類の情報記録媒体へのアクセスを精度良く行うことが可能となる。
【００９９】
なお、上記実施形態において、一例として図１１に示されるように、第１旋光子５７ｂと、偏光開口制限素子５７ｃと、第２旋光子５７ｄとを一体化しても良い。これにより、それぞれの分割線の位置を同一光軸上に高精度に合わせることが可能になる。そして、組み付け作業を簡素化することができる。また、調整に要する時間を短縮することができる。
【０１００】
また、例えば、偏光開口制限素子５７ｃをガラス部材で侠持し、そのガラス部材の表面に、サブ波長格子や、フォトニック結晶で旋光子を形成しても良い。これにより、光ピックアップ装置２３の薄型化を図ることも可能となる。
【０１０１】
また、上記実施形態において、一例として図１２に示されるように、第１旋光子５７ｂと、偏光開口制限素子５７ｃと、第２旋光子５７ｄと、１／４波長板５５とを一体化しても良い。これにより、光ピックアップ装置２３の更なる薄型化を図ることも可能となる。
【０１０２】
また、上記実施形態において、図１３及び図１４に示されるように、第１旋光子５７ｂと、偏光開口制限素子５７ｃと、第２旋光子５７ｄと、１／４波長板５５と、対物レンズ６０とが連動して駆動されるようにしても良い。すなわち、第１旋光子５７ｂと、偏光開口制限素子５７ｃと、第２旋光子５７ｄと、１／４波長板５５と、対物レンズ６０とを一つの筐体に配置しても良い。これにより、対物レンズ６０がトラッキング方向にシフトしても、第１旋光子５７ｂ、偏光開口制限素子５７ｃ、及び第２旋光子５７ｄにおける往路の光束の入射位置と復路の光束の入射位置とが互いに等しくなる。
【０１０３】
また、上記実施形態において、図１５に示されるように、偏光開口制限素子５７ｃを傾けても良い。これにより、偏光開口制限素子５７ｃで反射した迷光が受光器ＰＤへ入射されるのを抑制できる。この場合には、光束の入射角が１度以上となるように偏光開口制限素子５７ｃを傾斜するのが好ましい。
【０１０４】
また、上記実施形態において、図１６に示されるように、偏光回折素子を用いて偏光開口制限素子５７ｃの偏光領域を形成しても良い。この場合には、偏光領域は複屈折性の媒質に、平面視では円環状、断面視では鋸刃状の溝が形成される。複屈折性の媒質としては、一例として図１７に示されるように、ｎ//とｎ⊥とで屈折率の大きさが異なるものが使用される。具体的には、光硬化型液晶（ＰＰ−ＬＣ）、ホログラフィックポリマー分散液晶（ＨＰＤＬＣ）、有機延伸膜（ＰＥＴ）、及びニオブ酸リチウムが挙げられる。図１８には偏光方向が＋４５度の直線偏光に対する模式図が示され、図１９には偏光方向が−４５度の直線偏光に対する模式図が示されている。鋸刃状の凹凸を境に、上側（＋Ｚ側）は等方性の屈折率の媒質で埋められており、下側（−Ｚ側）が異方性の屈折率の媒質で埋められている。領域ｃ２では、＋４５度の直線偏光に対して鋸刃状の凹凸を境に屈折率が異なる。一方、領域ｃ３では、−４５度の直線偏光に対して鋸刃状の凹凸を境に屈折率が異なる。これにより、領域ｃ２では、方位角が＋４５度の直線偏光が回折され、領域ｃ３では、方位角が−４５度の直線偏光が回折されることとなる。
【０１０５】
また、上記実施形態では、情報の記録及び再生が可能な光ディスク装置について説明したが、これに限らず、情報の記録、再生及び消去のうち、少なくとも情報の再生が可能な光ディスク装置であれば良い。
【０１０６】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約６６０ｎｍの光束を発光する半導体レーザ及び波長が約７８０ｎｍの光束を発光する半導体レーザの少なくとも１つを更に備えていても良い。
【産業上の利用可能性】
【０１０７】
以上説明したように、本発明の光ピックアップ装置によれば、同一波長の光束に対応し適切な開口数が互いに異なる複数種類の情報記録媒体から所望の信号を精度良く取得するのに適している。また、本発明の光ディスク装置によれば、同一波長の光束に対応し適切な開口数が互いに異なる複数種類の情報記録媒体へのアクセスを精度良く行うのに適している。
【図面の簡単な説明】
【０１０８】
【図１】本発明の一実施形態に係る光ディスク装置の構成を示すブロック図である。
【図２】図２（Ａ）はＨＤの記録面位置を説明するための図であり、図２（Ｂ）はＢＤの記録面位置を説明するための図である。
【図３】図１における光ピックアップ装置を説明するための図である。
【図４】図４（Ａ）及び図４（Ｂ）は、それぞれ図３における可変旋光子を説明するための図である。
【図５】図３における第１旋光子を説明するための図である。
【図６】図３における偏光開口制限素子を説明するための図である。
【図７】図３における第２旋光子を説明するための図である。
【図８】図８（Ａ）及び図８（Ｂ）は、それぞれ対物レンズの位置を説明するための図である。
【図９】図３における開口切換光学系の作用を説明するための図（その１）である。
【図１０】図３における開口切換光学系の作用を説明するための図（その２）である。
【図１１】図３における開口切換光学系の変形例１を説明するための図である。
【図１２】図３における開口切換光学系の変形例２を説明するための図である。
【図１３】図３における開口切換光学系の変形例３を説明するための図である。
【図１４】図３における開口切換光学系の変形例４を説明するための図である。
【図１５】図３における偏光開口制限素子の別の配置例を説明するための図である。
【図１６】図３における偏光開口制限素子の変形例を説明するための図である。
【図１７】図１６における偏光開口制限素子の偏光領域の媒質を説明するための図である。
【図１８】図１６における偏光開口制限素子の偏光領域の断面を説明するための図（その１）である。
【図１９】図１６における偏光開口制限素子の偏光領域の断面を説明するための図（その２）である。
【符号の説明】
【０１０９】
１５…光ディスク（情報記録媒体）、２０…光ディスク装置、２３…光ピックアップ装置、２８…再生信号処理回路（処理装置の一部）、４０…ＣＰＵ（処理装置の一部）、５４…偏光ビームスプリッタ（偏光分岐光学素子）、５５…１／４波長板、５７…開口切換光学系（開口調整光学系）、５７ａ…可変旋光子（可変回転光学素子）、５７ｂ…第１旋光子（第１の回転光学素子）、５７ｃ…偏光開口制限素子（偏光光学素子）、５７ｄ…第２旋光子（第２の回転光学素子）、６０…対物レンズ、ＬＤ…光源、ＰＤ…受光器（光検出器）。
【図１】
2006277894.tif 000003
【図２】
2006277894.tif 000004
【図３】
2006277894.tif 000005
【図４】
2006277894.tif 000006
【図６】
2006277894.tif 000007
【図８】
2006277894.tif 000008
【図９】
2006277894.tif 000009
【図１０】
2006277894.tif 000010
【図１１】
2006277894.tif 000011
【図１２】
2006277894.tif 000012
【図１３】
2006277894.tif 000013
【図１４】
2006277894.tif 000014
【図１５】
2006277894.tif 000015
【図１６】
2006277894.tif 000016
【図１７】
2006277894.tif 000017
【図１８】
2006277894.tif 000018
【図１９】
2006277894.tif 000019
【図５】
2006277894.tif 000020
【図７】
2006277894.tif 000021